(57)【要約】【課題】信頼性向上および省電力化を実現した指紋認証付ＩＣカードリーダライタ装置を得る。【解決手段】指紋センサ２０を開閉するシャッタ１４と、ＩＣカード１５の挿入および抜き取り状態に応答してシャッタ１４を閉成、開放位置にスライドさせるスライド手段１６、１７と、シャッタ１４の開閉状態を検出する検出手段１８、１９と、検出信号に応答して回路部への給電を行う電源回路とを設ける。シャッタ１４は、ＩＣカード１５が抜き取られた状態では指紋センサ２０を覆う閉成状態に位置し、ＩＣカード１５が挿入された状態では指紋センサ２０を露出させる開放状態に位置し、電源回路は、シャッタ開放時には通常の指紋照合モードを選択して全回路部に給電し、シャッタ閉成時には省電力モードを選択して常用回路への給電を禁止する。【選択図】　　　　図４
2004102431.tif 000002
【特許請求の範囲】
【請求項１】
ＩＣカードが着脱自在に挿入されるＩＣカード挿入口と、
前記ＩＣカードが前記ＩＣカード挿入口に挿入された状態で、前記ＩＣカードとの間でカード情報の授受を行うリーダライタ手段と、
使用者が指を置くための指置き部と、
前記指置き部に配設されて前記使用者の指紋を検出するための指紋センサと、
前記カード情報および前記指紋センサからの指紋情報を処理する回路部と、
前記指紋センサの上面を開閉するように移動するシャッタと、
前記ＩＣカード挿入口にする前記ＩＣカードの挿入状態および抜き取り状態に応答して前記シャッタを閉成位置および開放位置にスライドさせるスライド手段と、
前記シャッタの開閉状態を検出する検出手段と、
前記検出手段からの検出信号に応答して前記回路部に対する給電を行う電源回路と、
を備え、
前記スライド手段は、
前記ＩＣカードが前記ＩＣカード挿入口から抜き取られた状態では、前記指紋センサの上面を覆う閉成位置に前記シャッタを配置し、
前記ＩＣカードが前記ＩＣカード挿入口に挿入された状態では、前記指紋センサを露出させる開放位置に前記シャッタを配置し、
前記電源回路は、
前記検出手段が前記シャッタの開放状態を検出した場合には、通常の指紋照合モードを選択して前記回路部の全てに給電を行い、
前記検出手段が前記シャッタの閉成状態を検出した場合には、省電力モードを選択して、前記回路部に含まれる常用回路に対する給電を禁止することを特徴とする指紋認証付ＩＣカードリーダライタ装置。
【請求項２】
前記回路部は、前記指紋センサの各セル間の感度補正を行うための感度調整信号を生成するキャリブレーション回路を含み、
前記キャリブレーション回路は、前記検出手段が前記シャッタの閉成状態を検出した場合に機能することを特徴とする請求項１に記載の指紋認証付ＩＣカードリーダライタ装置。
【請求項３】
前記回路部は、前記検出手段と前記キャリブレーション回路との間に挿入された第１のタイマを含み、
前記第１のタイマは、
前記検出手段が前記シャッタの閉成状態を検出した時点で起動し、第１の間隔で前記キャリブレーション回路に対する起動信号を生成し、
前記検出手段が前記シャッタの開放状態を検出した時点でリセットされ、前記キャリブレーション回路の動作を中断させることを特徴とする請求項２に記載の指紋認証付ＩＣカードリーダライタ装置。
【請求項４】
前記回路部は、
前記指紋センサからの入力画像に基づいて背景画像を取得する背景画像取得回路と、
前記指紋センサからの入力画像と前記背景画像とを比較して前記指紋センサ上に指が置かれたことを検出する指置き検出回路と、
前記指置き検出回路からの指置き検出信号に応答して、前記入力画像を所定の指紋データと比較照合する指紋照合回路と、
を含み、
前記背景画像取得回路は、前記検出手段が前記シャッタの閉成状態を検出した場合に機能することを特徴とする請求項１から請求項３までのいずれか１項に記載の指紋認証付ＩＣカードリーダライタ装置。
【請求項５】
前記回路部は、前記検出手段と前記背景画像取得回路との間に挿入された第２のタイマを含み、
前記第２のタイマは、
前記検出手段が前記シャッタの閉成状態を検出した時点で起動し、第２の間隔で前記背景画像取得回路に対する起動信号を生成し、
前記検出手段が前記シャッタの開放状態を検出した時点でリセットされ、前記背景画像取得回路の動作を中断させることを特徴とする請求項４に記載の指紋認証付ＩＣカードリーダライタ装置。
【発明の詳細な説明】
【０００１】
【発明の属する技術分野】
この発明は、指紋認証付ＩＣカードリーダライタ装置に関し、特に信頼性を向上させるとともに省電力化を実現した指紋認証付ＩＣカードリーダライタ装置に関するものである。
【０００２】
【従来の技術】
図７はたとえば特開２００１−１４３０４５号公報などに記載された従来の指紋認証付ＩＣカードリーダライタ装置を示す斜視図である。
図７において、１１は外部ケース、１２Ａは外部ケース１１の上面に形成された指置き窓、１２は指置き窓１２Ａ内に設けられた指置き部、１３は外部ケース１１の側端面にスリット状に形成されたＩＣカード挿入口である。
【０００３】
ＩＣカード挿入口１３には、各ユーザに固有のＩＣカード（図示せず）が着脱自在に挿入される。
指置き部１２は、指紋センサ（後述する）の上面露出部からなり、使用者の指が置かれたときに指紋情報を読み取るようになっている。
【０００４】
また、外部ケース１１の内部には、指置き部１２およびＩＣカード挿入口１３に関連した各種電子回路（図示せず）が内蔵されており、指紋情報およびＩＣカード情報を判定処理するようになっている。
【０００５】
すなわち、外部ケース１１内には、ＩＣカードがＩＣカード挿入口１３に挿入された状態でＩＣカードとの間でカード情報の授受を行うリーダライタ手段と、カード情報および指紋情報を処理する回路部（後述する）と、回路部に給電を行う電源回路（後述する）とが設けられている。
【０００６】
しかしながら、図７に示すように、従来の指紋認証付ＩＣカードリーダライタ装置は、最も信頼性が要求される指置き部１２が常に外部に露出しているので、傷などがつくおそれがある。
【０００７】
図８は図７に示した従来の指紋認証付ＩＣカードリーダライタ装置内の回路構成を示すブロック図であり、ＩＣカード情報認証回路部は省略されている。
図８においては、指置き部１２に対応した指紋認証回路部２０〜３０と電源回路部３１および３２とが示されている。
【０００８】
図８において、２０は指置き部１２に配設された指紋センサ、２１は指紋センサ２０により検出された画像を取り込む画像取込回路、２２は画像取込回路２１を介したセンサ画像２１ａを一時的に格納するテンポラリフレームである。
【０００９】
２３はテンポラリフレーム２２から指紋センサ２０への帰還ループに挿入されたキャリブレーション回路であり、テンポラリフレーム２２内の入力画像２２ａに基づいて、指紋センサ２０に対する感度調整信号２３ａを生成する。
【００１０】
２４はテンポラリフレーム２２内の入力画像２２ａから背景画像を取得する背景画像取得回路、２５は背景画像取得回路２４により取得された背景画像を格納する背景画像フレームである。
【００１１】
２６は指置き状態を判定する指置き検出回路であり、テンポラリフレーム２２内の入力画像２２ａおよび背景画像フレーム２５内の背景画像２５ａに基づいて指置き検出信号２６ａを生成する。
【００１２】
２７は指紋の照合判定を行う指紋照合回路であり、テンポラリフレーム２２内の入力画像２２ａおよび指置き検出回路２６からの指置き検出信号２６ａに基づいて判定結果２７ａを外部に出力する。
【００１３】
２８は指置き検出回路２６からキャリブレーション回路２３および背景画像取得回路２４への帰還ループに挿入されたインバータであり、指置き検出信号２６ａを反転して指置き無し信号２８ａを生成する。
【００１４】
２９は指置き無し信号２８ａに応答して動作する第１のタイマ（以下、単に「タイマ」と記す）であり、第１期間の経過後にキャリブレーション回路２３に対する起動信号２９ａを生成する。
【００１５】
３０は指置き無し信号２８ａに応答して動作する第２のタイマ（以下、単に「タイマ」と記す）であり、第２期間の経過後に背景画像取得回路２４に対する起動信号３０ａを生成する。
【００１６】
３１はオペレータにより外部から操作される電源スイッチ、３２は電源スイッチ３１のＯＮ操作に応答して起動する電源回路、３２ａは電源回路３２からの電源出力である。
【００１７】
電源回路３２は、電源スイッチ３１が投入されると、常に全電力状態で電源出力３２ａを指紋認証付ＩＣカードリーダライタ装置内の全ての回路に供給するようになっている。
【００１８】
しかしながら、電源スイッチ３１の投入時に常に全電力状態で電源出力３２ａを供給した場合、電源スイッチ３１の投入後に内部回路が使用されていない場合であっても電源出力３２ａの全電力を供給する必要があるので、異常発熱により装置寿命を縮めるおそれがある。
【００１９】
また、指置き部１２（指紋センサ２０）が常時露出していることから、指置き検出回路２６、インバータ２８および各タイマ２９、３０は、指が置かれていない状態が一定時間継続する毎に指置き無し信号２８ａを生成し、キャリブレーション回路２３や背景画像取得回路２４を起動しているので、指が置かれていない状態は、各タイマ２９、３０のタイマ設定時間（第１期間、第２期間）のみに依存することになる。
【００２０】
したがって、たとえばタイマ期間が経過する前に、指置き部１２に使用者が指置きした場合には、不正な状態でキャリブレーションが掛かるので、取込み画像が著しく乱されてしまい、正確な指紋照合が困難になるおそれがある。
また、この場合、背景画像として指置き状態の画像が取り込まれてしまうので、同様に、指置き状態を判定することができなくなるおそれがある。
【００２１】
【発明が解決しようとする課題】
従来の指紋認証付ＩＣカードリーダライタ装置は以上のように、指置き部１２が常時露出しているので、指紋認証機能に重要な影響を与える指置き部１２に傷がつくおそれがあるという問題点があった。
【００２２】
また、指置き部１２が常時露出していることから、指が置かれていない状態がタイマ２９、３０の設定時間に依存するので、タイマ設定時間内に使用者が指置きを行うと、不正な状態でキャリブレーションが掛かって取込み画像が著しく乱されるうえ、背景画像として指置き状態の画像が取り込まれてしまい、正確な指紋照合および指置き判定を行うことができないという問題点があった。
【００２３】
また、電源回路３２は、電源スイッチ３１が投入される毎に、全ての回路に対して全電力状態で電源出力３２ａを供給しているので、実際に使用されていない状態においても、全電源電力を供給する必要があり、発熱により装置寿命を縮めるおそれがあるという問題点があった。
【００２４】
この発明は上記のような問題点を解決するためになされたもので、信頼性を向上させるとともに省電力化を実現した指紋認証付ＩＣカードリーダライタ装置を得ることを目的とする。
【００２５】
【課題を解決するための手段】
この発明に係る指紋認証付ＩＣカードリーダライタ装置は、ＩＣカードが着脱自在に挿入されるＩＣカード挿入口と、ＩＣカードがＩＣカード挿入口に挿入された状態で、ＩＣカードとの間でカード情報の授受を行うリーダライタ手段と、使用者が指を置くための指置き部と、指置き部に配設されて使用者の指紋を検出するための指紋センサと、カード情報および指紋センサからの指紋情報を処理する回路部と、指紋センサの上面を開閉するように移動するシャッタと、ＩＣカード挿入口に対するＩＣカードの挿入状態および抜き取り状態に応答してシャッタを閉成位置および開放位置にスライドさせるスライド手段と、シャッタの開閉状態を検出する検出手段と、検出手段からの検出信号に応答して回路部に対する給電を行う電源回路と、を備え、スライド手段は、ＩＣカードがＩＣカード挿入口から抜き取られた状態では、指紋センサの上面を覆う閉成位置にシャッタを配置し、ＩＣカードがＩＣカード挿入口に挿入された状態では、指紋センサを露出させる開放位置にシャッタを配置し、電源回路は、検出手段がシャッタの開放状態を検出した場合には、通常の指紋照合モードを選択して回路部の全てに給電を行い、検出手段がシャッタの閉成状態を検出した場合には、省電力モードを選択して、回路部に含まれる常用回路に対する給電を禁止するものである。
【００２６】
また、この発明に係る指紋認証付ＩＣカードリーダライタ装置の回路部は、指紋センサの各セル間の感度補正を行うための感度調整信号を生成するキャリブレーション回路を含み、キャリブレーション回路は、検出手段がシャッタの閉成状態を検出した場合に機能するものである。
【００２７】
また、この発明に係る指紋認証付ＩＣカードリーダライタ装置の回路部は、検出手段とキャリブレーション回路との間に挿入された第１のタイマを含み、第１のタイマは、検出手段がシャッタの閉成状態を検出した時点で起動し、第１の間隔でキャリブレーション回路に対する起動信号を生成し、検出手段がシャッタの開放状態を検出した時点でリセットされ、キャリブレーション回路の動作を中断させるものである。
【００２８】
また、この発明に係る指紋認証付ＩＣカードリーダライタ装置の回路部は、指紋センサからの入力画像に基づいて背景画像を取得する背景画像取得回路と、指紋センサからの入力画像と背景画像とを比較して指紋センサ上に指が置かれたことを検出する指置き検出回路と、指置き検出回路からの指置き検出信号に応答して、入力画像を所定の指紋データと比較照合する指紋照合回路と、を含み、背景画像取得回路は、検出手段がシャッタの閉成状態を検出した場合に機能するものである。
【００２９】
また、この発明に係る指紋認証付ＩＣカードリーダライタ装置の回路部は、検出手段と背景画像取得回路との間に挿入された第２のタイマを含み、第２のタイマは、検出手段がシャッタの閉成状態を検出した時点で起動し、第２の間隔で背景画像取得回路に対する起動信号を生成し、検出手段がシャッタの開放状態を検出した時点でリセットされ、背景画像取得回路の動作を中断させるものである。
【００３０】
【発明の実施の形態】
実施の形態１．
以下、図面を参照しながら、この発明の実施の形態１について詳細に説明する。
図１および図２はこの発明の実施の形態１を示す斜視図であり、図１はＩＣカードが挿入されていない状態、図２はＩＣカードが挿入された状態をそれぞれ示している。
【００３１】
また、図３および図４はこの発明の実施の形態１を示す側断面図であり、図３はＩＣカードが挿入されていない状態、図４はＩＣカードが挿入された状態をそれぞれ示している。
【００３２】
また、図５はこの発明の実施の形態１による回路構成を示すブロック図である。
図１〜図５において、前述（図７、図８参照）と同様のものについては、同一符号を付して詳述を省略する。
【００３３】
図１および図２において、１４は外部ケース１１の上部内面に移動自在に設けられたシャッタ、１５はＩＣカード挿入口１３に対して着脱自在に挿入されるＩＣカードである。
【００３４】
シャッタ１４は、ＩＣカード１５が挿入されていない状態（図１参照）では、指置き窓１２Ａ内の指置き部１２（指紋センサ２０）を完全に塞ぐように覆っており、ＩＣカード１５を挿入した状態（図２参照）では、ＩＣカード１５の挿入動作と連動してスライドし、指置き部１２が露出するようになっている。
【００３５】
なお、シャッタ１４は、指置き部１２を覆う形状および配置を備えていればよく、外部ケース１１の上面において移動自在に設けられてもよい。
【００３６】
図３および図４において、１６はシャッタ１４の先端部に立設されたカード衝合爪であり、ＩＣカード１５の挿入時（図４参照）に、ＩＣカード１５の先端部と衝合して移動するように配置されている。
【００３７】
１７はシャッタ１４を閉成方向（図３の状態）に付勢する戻しバネであり、カード衝合爪１６とともに、シャッタ１４を開閉位置にスライドさせるためのスライド手段を構成している。
【００３８】
１８はシャッタ１４の後端部に設けられたリードスイッチであり、ＯＦＦ状態（シャッタ閉成状態）において、省電力切替信号１８ａ（後述する）を生成するようになっている。
【００３９】
１９は外部ケース１１の内面に設けられたマグネットであり、リードスイッチ１８とともに、シャッタ１４の開閉状態を検出する検出手段を構成している。
マグネット１９は、ＩＣカード１５の挿入時（シャッタ開放時）にリードスイッチ１８と対向し、リードスイッチ１８をＯＮ状態（省電力切替信号１８ａをＯＦＦ状態）に切り替えるようになっている。
【００４０】
カード衝合爪１６およびリードスイッチ１８は、シャッタ１４の内面側に一体構成され、戻しバネ１７の一端は、シャッタ１４の先端部に固定されている。
また、指紋センサ２０は、上面露出部が指置き部１２を構成しており、シャッタ１４の閉成時にはシャッタ１４の内側に位置する（シャッタ１４によりカバーされる）ように配設されている。
【００４１】
図３のように、ＩＣカード１５が挿入されていない状態では、シャッタ１４は、指置き部１２内の指紋センサ２０を完全にカバーする位置にある。
また、図４のように、ＩＣカード１５が挿入された状態では、ＩＣカード１５がシャッタ１４と一体のカード衝合爪１６を押すので、シャッタ１４は、ＩＣカード１５の挿入方向に移動する。
【００４２】
図４のように、ＩＣカード１５が完全に挿入された状態では、シャッタ１４に実装されたリードスイッチ１８と、外部ケース１１に実装されたマグネット１９とが重なって対向する。
【００４３】
すなわち、ＩＣカード１５をＩＣカード挿入口１３に挿入すると、マグネット１９の磁界によりリードスイッチ１８がＯＮ状態となり、ＩＣカード挿入口１３からＩＣカード１５を抜くと、リードスイッチ１８がＯＦＦ状態となる。
これにより、ＩＣカード１５の挿入状態および抜き取り状態を検出することができる。
【００４４】
次に、図１〜図４とともに図５を参照しながら、この発明の実施の形態１によるリードスイッチ１８に応答した回路動作について説明する。
図５において、３３は電源スイッチ３１からの投入信号およびリードスイッチ１８からの省電力切替信号１８ａに応答して動作する電源回路であり、実際の指紋認証機能に寄与する常用回路に対する電源出力３３ａと、基本ＣＰＵ回路（図示せず）などのスタンバイ回路に対する電源出力３３ｂとを生成する。
【００４５】
たとえば、図３のように、ＩＣカード１５が抜かれて、リードスイッチ１８がＯＦＦされると、図５内の電源回路３３は、省電力モードに入り、指置き検出回路２６および指紋照合回路２７を含む指紋認証回路部２０〜３０などの常用回路に対する電源出力３３ａをＯＦＦ状態にし、その他のスタンバイ回路（ＣＰＵ回路）のみに対して電源出力３３ｂを供給する。
【００４６】
したがって、電源スイッチ３１の投入後においても、不要な常用回路に対する給電を回避することができ、省電力化を実現することができる。
また、リードスイッチ１８のＯＦＦ状態により、シャッタ１４の閉成状態（未使用状態）を確実に認識することできるので、使用者に違和感を与えることなく、確実に省電力モードに入ることができる。
【００４７】
このとき、ＩＣカード１５が抜き取られた状態では、指紋認証回路部２０〜３０に対する電源出力がＯＦＦされることのみならず、ＩＣカード情報認証回路部など（図示せず）の他の常用回路に対する電源出力もＯＦＦされることは言うまでもない。
【００４８】
また、シャッタ１４により、ＩＣカード１５の非挿入時には、指置き部１２（指紋センサ２０）に対して指置きが行われることはなく、不正なキャリブレーションに基づく画像が誤って取得されることがないので、指紋認証の信頼性を向上させることができる。
【００４９】
すなわち、リードスイッチ１８のＯＦＦ状態により、シャッタ１４の閉成状態（指が置かれていない状態）を確実に検出することができるので、指置き状態で誤ってキャリブレーション機能を不正動作させることや、指置き状態で不正な背景画像を取り込むことを確実に回避することができる。
【００５０】
また、リードスイッチ１８のＯＦＦ状態により、シャッタ１４の閉成状態を確実に検出することができ、指置き部１２（指紋センサ２０）に指が置かれていない状態を確実に認識することができるので、指紋センサ２０の特定制御機能などを確実に動作させることができる。
【００５１】
実施の形態２．
なお、上記実施の形態１では、リードスイッチ１８のＯＦＦ信号（省電力切替信号１８ａ）を電源回路３３のみに用いたが、タイマ２９および３０の起動信号に用いてもよい。
【００５２】
図６は省電力切替信号１８ａをタイマ２９および３０の起動にも用いたこの発明の実施の形態２による回路構成を示すブロック図である。
図６において、前述（図５参照）と同様のものについては、同一符号を付して詳述を省略する。
【００５３】
この場合、リードスイッチ１８からの省電力切替信号１８ａは、電源回路３３のみならず、各タイマ２９、３０にも入力される。
したがって、インバータ２６（図５参照）は不要となる。
【００５４】
以下、図１〜図４とともに、図６を参照しながら、この発明の実施の形態２による動作について説明する。
たとえば、ＩＣカード１５がＩＣカード挿入口１３から抜き取られてシャッタ１４が閉成され、確実に指が置かれていない状態において、指紋センサ２０から検出されたセンサ画像２１ａは、画像取込回路２１を介してテンポラリフレーム２２に取り込まれる。
【００５５】
このとき、ＩＣカード１５が抜き取られてリードスイッチ１８がＯＦＦされた時点で、省電力切替信号１８ａに応答してタイマ２９が起動し、所定間隔で起動信号２９ａを生成してキャリブレーション回路２３を起動する。
【００５６】
キャリブレーション回路２３は、起動されると、テンポラリフレーム２２内の入力画像２２ａの濃淡に基づいて、指紋センサ２０の各セル毎の感度バラツキを判定し、指紋センサ２０のセル毎の感度を補正して均等な画像が得られるように感度調整信号２３ａを生成する。
【００５７】
また、ＩＣカード１５が抜き取られてリードスイッチ１８がＯＦＦされた時点で、タイマ２９と同時にタイマ３０が起動し、所定間隔で起動信号３０ａを生成して背景画像取得回路２４を起動する。
背景画像取得回路２４は、起動されると、テンポラリフレーム２２内の入力画像２２ａを背景画像として背景画像フレーム２５に転送する。
【００５８】
ここで、使用者がＩＣカード１５を挿入すると、リードスイッチ１８がＯＮされて省電力切替信号１８ａがＯＦＦされるので、タイマ２９は即座にリセットされ、キャリブレーション回路２３は動作を中断する。
また、これと同時に、タイマ３０も即座にリセットされて、背景画像取得回路２４は動作を中断する。
【００５９】
続いて、使用者が指紋センサ２０の上面（指置き部１２）に指を当てると、指紋センサ２０により検出された指紋画像は、画像取込回路２１からテンポラリフレーム２２に取り込まれる。
【００６０】
指置き検出回路２６は、テンポラリフレーム２２内の入力画像２２ａと背景画像フレーム２５内の背景画像２５ａとの差分（＞所定値）から、指紋センサ２０上に指が置かれたことを判定し、指紋照合回路２７に指置き検出信号２６ａを出力する。
【００６１】
指紋照合回路２７は、指置き検出信号２６ａに応答して、テンポラリフレーム２２内の入力画像２２ａを処理して指紋画像の特徴データを生成し、特徴データとあらかじめ登録されている指紋データとを照合判定することにより、判定結果２７ａを出力する。
【００６２】
このように、省電力切替信号１８ａに応答してタイマ２９を起動し、シャッタ閉成時のみに、指紋センサセル間の感度補正用のキャリブレーション回路２３を機能させることにより、指紋センサ２０上に指が置かれていないことを確実に認識してキャリブレーションが行われるので、指置き状態で誤ってキャリブレーション回路２３を機能させることを確実に回避することができ、さらに信頼性を向上させることができる。
【００６３】
同様に、省電力切替信号１８ａに応答してタイマ３０を起動し、シャッタ閉成時のみに、指置き判定用の背景画像取得回路２４を機能させることにより、指紋センサ２０上に指が置かれていないことを確実に認識して背景画像が取得されるので、指置き状態で不正な背景画像を取得することを確実に回避することができ、さらに信頼性を向上させることができる。
【００６４】
【発明の効果】
以上のように、この発明によれば、ＩＣカードが着脱自在に挿入されるＩＣカード挿入口と、ＩＣカードがＩＣカード挿入口に挿入された状態で、ＩＣカードとの間でカード情報の授受を行うリーダライタ手段と、使用者が指を置くための指置き部と、指置き部に配設されて使用者の指紋を検出するための指紋センサと、カード情報および指紋センサからの指紋情報を処理する回路部と、指紋センサの上面を開閉するように移動するシャッタと、ＩＣカード挿入口に対するＩＣカードの挿入状態および抜き取り状態に応答してシャッタを閉成位置および開放位置にスライドさせるスライド手段と、シャッタの開閉状態を検出する検出手段と、検出手段からの検出信号に応答して回路部に対する給電を行う電源回路と、を備え、スライド手段は、ＩＣカードがＩＣカード挿入口から抜き取られた状態では、指紋センサの上面を覆う閉成位置にシャッタを配置し、ＩＣカードがＩＣカード挿入口に挿入された状態では、指紋センサを露出させる開放位置にシャッタを配置し、電源回路は、検出手段がシャッタの開放状態を検出した場合には、通常の指紋照合モードを選択して回路部の全てに給電を行い、検出手段がシャッタの閉成状態を検出した場合には、省電力モードを選択して、回路部に含まれる常用回路に対する給電を禁止するようにしたので、信頼性を向上させるとともに省電力化を実現した指紋認証付ＩＣカードリーダライタ装置が得られる効果がある。
【００６５】
また、この発明によれば、回路部は、指紋センサの各セル間の感度補正を行うための感度調整信号を生成するキャリブレーション回路を含み、キャリブレーション回路は、検出手段がシャッタの閉成状態を検出した場合に機能するようにしたので、キャリブレーション機能の信頼性をさらに向上させた指紋認証付ＩＣカードリーダライタ装置が得られる効果がある。
【００６６】
また、この発明によれば、回路部は、検出手段とキャリブレーション回路との間に挿入された第１のタイマを含み、第１のタイマは、検出手段がシャッタの閉成状態を検出した時点で起動し、第１の間隔でキャリブレーション回路に対する起動信号を生成し、検出手段がシャッタの開放状態を検出した時点でリセットされ、キャリブレーション回路の動作を中断させるようにしたので、キャリブレーション機能の信頼性をさらに向上させた指紋認証付ＩＣカードリーダライタ装置が得られる効果がある。
【００６７】
また、この発明によれば、回路部は、指紋センサからの入力画像に基づいて背景画像を取得する背景画像取得回路と、指紋センサからの入力画像と背景画像とを比較して指紋センサ上に指が置かれたことを検出する指置き検出回路と、指置き検出回路からの指置き検出信号に応答して、入力画像を所定の指紋データと比較照合する指紋照合回路と、を含み、背景画像取得回路は、検出手段がシャッタの閉成状態を検出した場合に機能するようにしたので、背景画像取得機能の信頼性をさらに向上させた指紋認証付ＩＣカードリーダライタ装置が得られる効果がある。
【００６８】
また、この発明によれば、回路部は、検出手段と背景画像取得回路との間に挿入された第２のタイマを含み、第２のタイマは、検出手段がシャッタの閉成状態を検出した時点で起動し、第２の間隔で背景画像取得回路に対する起動信号を生成し、検出手段がシャッタの開放状態を検出した時点でリセットされ、背景画像取得回路の動作を中断させるようにしたので、背景画像取得機能の信頼性をさらに向上させた指紋認証付ＩＣカードリーダライタ装置が得られる効果がある。
【図面の簡単な説明】
【図１】この発明の実施の形態１を示す斜視図である。
【図２】この発明の実施の形態１をＩＣカードとともに示す斜視図である。
【図３】この発明の実施の形態１を示す側断面図である。
【図４】この発明の実施の形態１をＩＣカードとともに示す側断面図である。
【図５】この発明の実施の形態１による回路構成を示すブロック図である。
【図６】この発明の実施の形態２による回路構成を示すブロック図である。
【図７】従来の指紋認証付ＩＣカードリーダライタ装置を示す斜視図である。
【図８】従来の指紋認証付ＩＣカードリーダライタ装置による回路構成を示すブロック図である。
【符号の説明】
１１　外部ケース、１２　指置き部、１２Ａ　指置き窓、１３　ＩＣカード挿入口、１４　シャッタ、１５　ＩＣカード、１６　カード衝合爪（スライド手段）、１７　戻しバネ（スライド手段）、１８　リードスイッチ（検出手段）、１８ａ　省電力切替信号、１９　マグネット（検出手段）、２０　指紋センサ、２１　画像取込回路、２２　テンポラリフレーム、２２ａ　入力画像、２３　キャリブレーション回路、２３ａ　感度調整信号、２４　背景画像取得回路、２５　背景画像フレーム、２５ａ　背景画像、２６　指置き検出回路、２６ａ　指置き検出信号、２７　指紋照合回路、２７ａ　判定結果、２９　第１のタイマ、２９ａ　起動信号、３０　第２のタイマ、３０ａ　起動信号、３１　電源スイッチ、３３　電源回路、３３ａ　常用回路への電源出力、３３ｂ　スタンバイ回路への電源出力。
【図１】
2004102431.tif 000003
【図２】
2004102431.tif 000004
【図３】
2004102431.tif 000005
【図４】
2004102431.tif 000006
【図５】
2004102431.tif 000007
【図６】
2004102431.tif 000008
【図７】
2004102431.tif 000009
【図８】
2004102431.tif 000010